(57)【要約】      （修正有）【課題】電気集塵器などの集塵装置の前段に接続して、含塵気体中から火災の原因となるヒューム粉塵（火花粉塵）や、その他油滴や金属粉或は一般の粉塵類（ダスト類とも云う）を分離捕集することができる粉塵分離装置を提供する。【解決手段】電気集塵機等の集塵装置の吸引口２に接続し溶接時に発生するヒューム等の汚染気体中から汚染気体中に混入している粉塵を分離回収する粉塵分離器１０において、粉塵分離器は、ヒューム等の汚染気体が流入する流入口１６と、流入口から流入する汚染気体が衝突し流路を変更する衝突板１２と、衝突板に衝突した汚染気体に旋回運動を付与する旋回板１３と、旋回板に沿って配置した粉塵分離板１４と、旋回運動をする汚染気体の旋回中心線上で、かつ、流入汚染気体の流れ方向と略直角方向の少なくとも一側に形成される気体排出口１７とを備えていることを特徴とする粉塵分離器である。【選択図】図１
0003122519.tif 000002
【実用新案登録請求の範囲】
【請求項１】
電気集塵機等の集塵装置の吸引口に接続し溶接切断時に発生するヒューム等の汚染気体中から前記汚染気体中に混入している粉塵を分離回収する粉塵分離器において、前記粉塵分離器は、ヒューム等の汚染気体が流入する流入口と、前記流入口から流入した汚染気体が衝突し流路を変更する衝突板と、前記衝突板に衝突した汚染気体に旋回運動を付与する旋回板と、前記旋回板に沿って配置した粉塵分離板と、前記旋回運動をする汚染気体の旋回中心線上で、かつ、前記流入汚染気体の流れ方向と略直角方向の少なくとも一側に形成される気体排出口とを備えていることを特徴とする粉塵分離器。
【請求項２】
前記衝突板と旋回板と粉塵分離板とは２枚の側板の間に配置保持され、さらに前記２枚の側板の少なくとも一方に前記気体排出口が形成されていることを特徴とする請求項１に記載の粉塵分離器。
【請求項３】
前記気体排出口には、内側に向いたフランジが全周に形成されていることを特徴とする請求項１に記載の粉塵分離器。
【請求項４】
前記粉塵分離板の下方に粉塵回収ボックスを設けたことを特徴とする請求項１〜３のいずれかに記載の粉塵分離器。
【請求項５】
前記請求項１〜４に記載の粉塵分離器を、吸引箱内に収納して構成したことを特徴とする粉塵分離装置。
【請求項６】
前記吸引箱には、気体吸引口と、気体排出口が形成されていることを特徴とする請求項５に記載の粉塵分離装置。
【請求項７】
前記吸引箱には、粉塵分離器を保守するための保守点検口が形成されていることを特徴とする請求項６に記載の粉塵分離装置。
【考案の詳細な説明】
【技術分野】
【０００１】
本考案は、電気集塵機などの集塵装置の前段に接続して、含塵気体中から火災の原因となるヒューム粉塵（火花粉塵）や、その他油滴や金属粉或は一般の粉塵類（ダスト類とも云う）を分離捕集することができる粉塵分離装置に関するものである。
【背景技術】
【０００２】
電気集塵機等の前段に接続して火花粉塵等を分離捕集して、集塵機の火災を防止することができるプレダスト分離器（プレダストボックス）としては特許文献１に記載されているようなものが提案されている。
【０００３】
【特許文献１】特開平１０−２３５１２３号公報
【０００４】
このプレダスト分離器は、含塵空気の流入口に連通した吸引管部の風路内に、含塵空気を円周方向に旋回させた状態で進行させる手段を設け、旋回遠心力によって質量のあるミストダスト（粉塵）を風路の外壁に沿って進行させてダストボックスに落下・回収できるようにしている。
【考案の開示】
【考案が解決しようとする課題】
【０００５】
しかしながら上記プレダスト分離器は、含塵空気を円周方向に旋回させながら進行させる機構を採用しているため、装置全体が風路に沿って長くなり、装置の小型化が困難である。また上記遠心力を用いるものは、ダストボックス側に落下・回収された火の粉が気流に乗って再び舞い上がる現象を完全に防止することができず、火災の危険が残る問題がある。
【０００６】
そこで本考案は、気体流入口から流入した気体を旋回板によって、旋回流とし、その旋回流の外周縁に粉塵分離板を設け、旋回流の遠心力により粉塵を粉塵分離板で分離回収できるようにすることで、上記従来装置の欠点を解決せんとするものである。
【課題を解決するための手段】
【０００７】
このため、本考案が採用した技術解決手段は、
電気集塵機等の集塵装置の吸引口に接続し溶接時に発生するヒューム等の汚染気体中から前記汚染気体中に混入している粉塵を分離回収する粉塵分離器において、前記粉塵分離器は、ヒューム等の汚染気体が流入する流入口と、前記流入口から流入する汚染気体が衝突し流路を変更する衝突板と、前記衝突板に衝突した汚染気体に旋回運動を付与する旋回板と、前記旋回板に沿って配置した粉塵分離板と、前記旋回運動をする汚染気体の旋回中心線上で、かつ、前記流入汚染気体の流れ方向と略直角方向の少なくとも一側に形成される気体排出口とを備えていることを特徴とする粉塵分離器である。
また、前記衝突板と旋回板と粉塵分離板とは２枚の側板の間に配置保持され、さらに前記２枚の側板の少なくとも一方に前記気体排出口が形成されていることを特徴とする粉塵分離器である。
また、前記気体排出口には、内側に向いたフランジが全周に形成されていることを特徴とする粉塵分離器である。
また、前記粉塵分離板の下方に粉塵回収ボックスを設けたことを特徴とする粉塵分離器である。
また、前記に記載の粉塵分離器を、吸引箱内に収納して構成したことを特徴とする粉塵分離装置である。
また、前記吸引箱には、気体吸引口と、気体排出口が形成されていることを特徴とする粉塵分離装置である。
また、前記吸引箱には、粉塵分離器を保守するための保守点検口が形成されていることを特徴とする粉塵分離装置である。
【考案の効果】
【０００８】
本考案に係る粉塵分離装置によれば、火の粉等のダスト類を確実に分離・捕集でき、しかも、小型軽量の粉塵分離装置を提供することができる。また粉塵回収ボックス側に落下・回収される火の粉等が再び舞い上がることがない。さらに不燃性のフイルタを使用することなく、ミスト・ダストや火花粉塵と云ったいずれの粉塵類も集塵機の濾過フイルタに到達させずに、管路の途中で確実に回収できる。また、ダスト類の殆どを分離・捕集してしまうため、集塵機側の濾過フイルタの負担を軽くしてその寿命を長くすることができる等の優れた効果を達成することができる。
【考案を実施するための最良の形態】
【０００９】
本考案に係る粉塵分離装置は、ヒューム等の汚染気体が流入する流入口と、前記流入口に対向して配置し前記流入口から流入された汚染気体が衝突し流路を変更する衝突板と、前記衝突板に衝突した汚染気体に旋回運動を付与する旋回板と、前記旋回板に沿って配置した粉塵分離板と、前記旋回運動をする汚染気体の旋回中心線上で、かつ、前記流入汚染気体の流れ方向と略直角方向の一側に形成される気体排出口とを備えていることを特徴しており、これにより火の粉等のダスト類を確実に分離・捕集でき、しかも、小型軽量の粉塵分離装置を提供することができる。
【実施例】
【００１０】
以下に、本考案に係る粉塵分離装置の実施の形態を、添付した図面と共に詳細に説明する。
粉塵分離装置は、粉塵分離器とその分離器を収納する吸引箱とから構成されており、図１は本考案に係る粉塵分離器を吸引箱内に収納した粉塵分離装置の３面図および斜視図、図２は粉塵分離器の３面図およびその斜視図、図３は粉塵分離装置中の気体の流れを説明する図である。
【００１１】
図１において、１は吸引箱であり、この吸引箱１は板金等の平板材料により箱型に形成されており、箱の一面には汚染気体を吸引する気体吸引口２が、またこの面と対向する側の他の面には粉塵が除去された清浄気体を排出する気体排出口３が形成されている。前記気体吸引口２および気体排出口３は本例では図示のように円形に形成されされているが、必ずしも円形に限ることはなく、楕円形、多角形などでもよい。また気体吸引口２および気体排出口３には箱の外側に突出するフランジ４が形成され、このフランジ４を利用して図示せぬダクト等に接続することが可能である。また前記吸引箱１には、後述する粉塵分離器を保守点検したり、回収した粉塵を取り出すための蓋（不図示）等が適宜着脱自在に設けられている。
【００１２】
前記吸引箱１内に収納される粉塵分離器１０は、図２に示すように板金等で形成された２枚側板１１の間に、衝突板１２、底面板１５、旋回板１３および粉塵分離板１４が取り付けられており、粉塵分離板１４は旋回板１３の下方側に配置されている。
【００１３】
前記衝突板１２は、下辺が底面板１５に固定され、上辺が内側（図２中右側方向）に曲折された形状をしており、その上部に汚染気体が流入する流入口１６が形成されている。
【００１４】
また、旋回板１３は図示のように上部が内側に向けた円形をしており、この円形部に汚染気体が衝突することで、気体が旋回流となるようにしている。前記旋回板１３の下方には、旋回板１３と略平行に、かつ、旋回板１３と所定の間隙を有して粉塵分離板１４が取り付けられており、粉塵分離板１４と旋回板１３の間の空間の下方には回収した粉塵を取り出すための回収ボックスが配置されている。
【００１５】
また、２枚の側板１１には、汚染気体の旋回流の略旋回中心線上に相当する位置に気体流出口１７が形成されており、これら気体流出口１７には、内側に向けて所定の幅を有するフランジ１８が全周に形成されている。このフランジ１８の作用により、気体中に混入している粉塵が気体流出口１７から粉塵分離器外に流出しないようになっている。なお、本例では気体流出口１７は２枚の側板１１に設けてあるが、気体流出口１７はいずれか１枚の側板１１にのみ設けることも可能である。
【００１６】
上記のような構成を有する粉塵分離器１０を前記吸引箱１内に収納することで、粉塵分離装置を構成することができる。なお、この時吸引箱１内に流入した汚染気体が粉塵分離器１０の側面を通って、吸引箱１の気体排出口３から排出することがないように、粉塵分離器１０と吸引箱１との間には適宜遮蔽板１９を取り付ける必要がある。
【００１７】
上記構成からなる粉塵分離装置の作用を説明する。
図３において、吸引箱１の気体排出口３側に適宜気体吸引手段（たとえば電気集塵機の吸引手段）を取り付けて吸引を行なうと、この吸引力が粉塵分離器１０の２枚の側板１１に形成した気体流出口１７さらには粉塵分離器１０の気体流入口１６を介して吸引箱１の気体吸引口２に作用し、この時の吸引力によって汚染気体が吸引箱１の気体吸引口２から吸引箱１内に流入する。
【００１８】
吸引箱１内に流入した汚染気体は図１（白抜き矢印参照）、図３で示すように粉塵分離器１０の気体流入口１６から粉塵分離器１０内に流れこむ。このとき汚染気体は衝突板１２に衝突して向きを変えて比較的厚みの薄い流れ状態となって旋回板１３に当たり、あるいは気体流入口の上方側の流れは直接旋回板１３に当たって流れに旋回力が与えられる。この旋回板１３の作用により、汚染気体は旋回板１３に沿って勢いよく流れ、粉塵分離器１０内で旋回する。そしてこの旋回流によって汚染気体中に混入している粉塵が遠心力で旋回板１３と粉塵分離板１４の間の空間に流れこみ、ここで粉塵が分離・回収される。またこの時分離回収されなかった粉塵は再び粉塵分離器１０内で旋回し、気体流入口１６から流入した気体と再度一体になって再び旋回板１３により旋回流に変えられ、気体中の粉塵が遠心力により分離される。また旋回流の中心部の気体（遠心力の作用により殆ど粉塵を含まない気体）は、２枚の側板１１に形成した気体流出口１７から粉塵分離器１０の外に排出され、さらに吸引箱１の気体排出口３を介して、後段の電気集塵機に送りこまれる。このように気体の旋回流を利用して遠心力により粉塵を除去するとともに、気体を旋回流の中心部から排出するため、排出流の中には粉塵が殆ど混入することはなく、この旋回流の遠心作用により確実に汚染気体中の火の粉等を含む粉塵を除去することができる。
【００１９】
つづいて粉塵分離器１０の第２実施例について図４、図５を参照して説明する。
前述の粉塵分離器１０は、汚染気体が正面から分離器内に流入するようになっているが、第２実施例のものは、汚染気体が底面側から分離器内に流入するように構成したものであり、第１実施例に対応する部材には同一符号を付与してある。また、白抜きの矢印は気体の流れを示している。
【００２０】
第１実施形態においては、吸引箱に形成する気体吸引口および気体排出口が一直線上に配置されているが、気体吸引口および気体排出口の取り付け角度を適宜変更することが可能である。また粉塵分離器の衝突板、旋回板等の曲率および粉塵分離板の形状等は設計時に適宜選択することができる。
以上、本考案に係る実施例について説明してきたが、本考案はその精神または主要な特徴から逸脱することなく、他のいかなる形でも実施できる。そのため、前述の実施例はあらゆる点で単なる例示にすぎず限定的に解釈してはならない。
【産業上の利用可能性】
【００２１】
本考案は、溶接現場を始め、粉塵の多い工場等で空気清浄機として使用することができる。また電気集塵機等の前段の粉塵分離機として利用することができる。
【図面の簡単な説明】
【００２２】
【図１】本考案に係る第１実施例に係る粉塵分離器を吸引箱内に収納した粉塵分離装置の３面図および斜視図である。
【図２】第１実施例に係る粉塵分離器の３面図およびその斜視図である。
【図３】第１実施例に係る粉塵分離装置内での気体の流れの説明図である。
【図４】第２実施例に係る粉塵分離器の２面図である。
【図５】第２実施例に係る粉塵分離器の気体の流れを説明する斜視図である。
【符号の説明】
【００２３】
１            吸引箱
２            気体吸引口
３            気体排出口
４            フランジ
１０            粉塵分離器
１１            側板
１２            衝突板
１３            旋回板
１４            粉塵分離板
１５            底面板
１６            流入口
１７            流出口
１８            フランジ
１９            遮蔽板
２０            粉塵分離器
【図１】
0003122519.tif 000003
【図２】
0003122519.tif 000004
【図３】
0003122519.tif 000005
【図４】
0003122519.tif 000006
【図５】
0003122519.tif 000007
【手続補正書】
【提出日】平成18年4月7日(2006.4.7)
【手続補正１】
【補正対象書類名】図面
【補正対象項目名】全図
【補正方法】変更
【補正の内容】
【図１】
0003122519.tif 000008
【図２】
0003122519.tif 000009
【図３】
0003122519.tif 000010
【図４】
0003122519.tif 000011
【図５】
0003122519.tif 000012